(57)【要約】【課題】  スマートな所作でチョコレート菓子の繊細な切断作業を行うことができ、かつ、形態を害することなく美しい切断面を得ることができるチョコレート菓子用ナイフおよびそれを用いたチョコレート菓子の切断方法を提供すること。【解決手段】  ナイフ本体における刀身部１を先端に亙りテーパ状に形成して、この刀身部１の下縁には主刃部２を形成し、略直線状の刃先にする一方、この主刃部２のテーパ開始位置には微小な副刃部３を柄部４側に亙り連続的に形成して、前記副刃部３により前記チョコレート菓子Ｃの上面ｔにおいて直線的な案内溝ｓを形成可能にして、かつ、主刃部２により当該案内溝ｓから菓子の躯体を剪断可能にするという技術的手段を採用した。【選択図】  図１
2018068527.tif 000002
【特許請求の範囲】
【請求項１】
硬化したチョコレートが表面にコーティングされてなるチョコレート菓子（Ｃ）を切断するための小型のナイフであって、
ナイフ本体における刀身部（１）が先端に亙りテーパ状に形成されており、この刀身部（１）の下縁には主刃部（２）が形成され、略直線状の刃先である一方、
この主刃部（２）のテーパ開始位置には微小な副刃部（３）が柄部（４）側に亙り連続的に形成されており、
前記副刃部（３）により前記チョコレート菓子（Ｃ）の上面（ｔ）において直線的な案内溝（ｓ）を形成可能であり、かつ、主刃部（２）により当該案内溝（ｓ）から菓子の躯体を剪断可能であることを特徴とするチョコレート菓子用ナイフ。
【請求項２】
柄部（４）の上面に、指載せガイド（５）が形成されていることを特徴とする請求項１記載のチョコレート菓子用ナイフ。
【請求項３】
副刃部（３）の刃先が円弧をなしており、その円弧における法線の延長線上に指載せガイド（５）が形成されていることを特徴とする請求項２記載のチョコレート菓子用ナイフ。
【請求項４】
指載せガイド（５）に凹凸（51）が形成されていることを特徴とする請求項１〜３の何れか一つに記載のチョコレート菓子用ナイフ。
【請求項５】
ナイフ本体の刀身部（１）および柄部（４）が単一板体で構成されており、この柄部（４）の終端（41）が掌の拇指球および小指球の間に当接して保持可能な全長であることを特徴とする請求項１〜４の何れか一つに記載のチョコレート菓子用ナイフ。
【請求項６】
主刃部（２）および副刃部（３）が、両面から均等に研磨されてなる両刃状であることを特徴とする請求項１〜５の何れか一つに記載のチョコレート菓子用ナイフ。
【請求項７】
ナイフ本体における刀身部（１）が先端に亙りテーパ状に形成されており、この刀身部（１）の下縁には主刃部（２）が形成され、略直線状の刃先である一方、
この主刃部（２）のテーパ開始位置には微小な副刃部（３）が柄部（４）側に亙り連続的に形成されて構成されるナイフを用いて、
前記チョコレート菓子（Ｃ）の上面（ｔ）に副刃部（３）のみを当接させた状態で一方向に直線的に摺動して、当該上面（ｔ）に直線状の案内溝（ｓ）を形成するのに連動しながら、この案内溝（ｓ）の全長に亙り主刃部（２）を当接せしめ、
前記柄部（４）の上面を押圧することにより主刃部（２）を菓子の躯体方向に押し込んで剪断することを特徴とするチョコレート菓子の切断方法。
【請求項８】
柄部（４）を手で挟持して、かつ、当該柄部（４）の終端（41）を掌の拇指球および小指球の間に当接せしめて保持した状態で、前記柄部（４）の上面を押圧することにより主刃部（２）を菓子の躯体方向に押し込んで剪断することを特徴とする請求項７記載のチョコレート菓子の切断方法。
【発明の詳細な説明】
【技術分野】
【０００１】
本発明は、食品用切断器具の改良、更に詳しくは、スマートな所作でチョコレート菓子の繊細な切断作業を行うことができ、かつ、形態を害することなく美しい切断面を得ることができるチョコレート菓子用ナイフおよびそれを用いたチョコレート菓子の切断方法に関するものである。
【背景技術】
【０００２】
周知のとおり、菓子職人の手によって精巧に制作される菓子は、芸術的作品と認められるまでに発展しており、中でも、所謂「ボンボンショコラ」と呼ばれる一口サイズの小型のチョコレート菓子は、バラエティに富んでいて人気が高く愛好家も多い。
【０００３】
このようなチョコレート菓子は、中身に種々の構造で材料を込めて、外周をチョコレートで薄くコーティングして構成されており、その精巧さおよび芸術性の高さから、単に賞味するだけではなく、菓子の中身の構成も美的鑑賞の対象となっている。
【０００４】
そして、菓子の中身を鑑賞するために菓子を切断する場合、チョコレート菓子は、表面に薄くて硬いチョコレート層がコーティングされているのに対して、中身は比較的軟らかい材料が種々の構造で込められているという非常にデリケートな構造であるため、注意深く繊細な操作が必要とされる。
【０００５】
従来、食卓において食品を切断する器具として、テーブルナイフが使用されているが、通常は剪断力を高めるための刃先に凹凸が形成されているものが多く、このような刃でチョコレート菓子を上面から切断しようとすると、上面を全体的に押圧してチョコレート層が不意に割れてしまったり、また、ナイフを下ろす際に、ナイフの側面が菓子の中身を擦過してしまい、切断面が崩れて外観が荒れてしまうという問題があった。
【０００６】
また、単に鋭利な刃で構成されたナイフを使用するとしても、薄くて硬いチョコレート層を割ることなく切断するには技巧が必要であり、菓子職人のようなプロではなく一般の愛好家では失敗することも多く、ぎこちない動作となりスマートな所作が得られずテーブルマナーに反するおそれがある。
【０００７】
更に、一般的に食品を切断する器具は、柄を握って用いる「包丁」であるが（例えば、特許文献１および２参照）、調理においては使用されるものの、食卓には似付かず使用されることはなく、特に、小型のチョコレート菓子を切断するような場合は、利き手と反対側の手の指先で菓子を押さえる必要があり、指先の体温でチョコレートが溶けてしまうため、迅速かつ正確な作業が求められるため、繊細な切断作業の用途には相応しくない。
【先行技術文献】
【特許文献】
【０００８】
【特許文献１】特開平９−５１７０８号公報
【特許文献２】特開平１１−２３５４７９号公報
【発明の概要】
【発明が解決しようとする課題】
【０００９】
本発明は、従来の食品用切断器具に上記のような問題があったことに鑑みて為されたものであり、その目的とするところは、スマートな所作でチョコレート菓子の繊細な切断作業を行うことができ、かつ、形態を害することなく美しい切断面を得ることができるチョコレート菓子用ナイフおよびそれを用いたチョコレート菓子の切断方法を提供することにある。
【課題を解決するための手段】
【００１０】
本発明者が上記技術的課題を解決するために採用した手段を、添付図面を参照して説明すれば、次のとおりである。
【００１１】
即ち、本発明は、硬化したチョコレートが表面にコーティングされてなるチョコレート菓子Ｃを切断するための小型のナイフであって、
ナイフ本体における刀身部１を先端に亙りテーパ状に形成して、この刀身部１の下縁には主刃部２を形成し、略直線状の刃先にする一方、
この主刃部２のテーパ開始位置には微小な副刃部３を柄部４側に亙り連続的に形成して、
前記副刃部３により前記チョコレート菓子Ｃの上面ｔにおいて直線的な案内溝ｓを形成可能にして、かつ、主刃部２により当該案内溝ｓから菓子の躯体を剪断可能にするという技術的手段を採用したことによって、チョコレート菓子用ナイフを完成させた。
【００１２】
また、本発明は、上記課題を解決するために、必要に応じて上記手段に加え、柄部４の上面に、指載せガイド５を形成するという技術的手段を採用することができる。
【００１３】
更にまた、本発明は、上記課題を解決するために、必要に応じて上記手段に加え、副刃部３の刃先が円弧をなしており、その円弧における法線の延長線上に指載せガイド５を形成するという技術的手段を採用することもできる。
【００１４】
更にまた、本発明は、上記課題を解決するために、必要に応じて上記手段に加え、指載せガイド５に凹凸51を形成するという技術的手段を採用することもできる。
【００１５】
更にまた、本発明は、上記課題を解決するために、必要に応じて上記手段に加え、ナイフ本体の刀身部１および柄部４を単一板体で構成して、この柄部４の終端41が掌の拇指球および小指球の間に当接して保持可能な全長にするという技術的手段を採用することもできる。
【００１６】
更にまた、本発明は、上記課題を解決するために、必要に応じて上記手段に加え、主刃部２および副刃部３を、両面から均等に研磨されてなる両刃状にするという技術的手段を採用することもできる。
【００１７】
また、本発明は、ナイフ本体における刀身部１が先端に亙りテーパ状に形成されており、この刀身部１の下縁には主刃部２が形成され、略直線状の刃先である一方、
この主刃部２のテーパ開始位置には微小な副刃部３が柄部４側に亙り連続的に形成されて構成されるナイフを用いて、
前記チョコレート菓子Ｃの上面ｔに副刃部３のみを当接させた状態で一方向に直線的に摺動して、当該上面ｔに直線状の案内溝ｓを形成するのに連動しながら、この案内溝ｓの全長に亙り主刃部２を当接せしめ、
前記柄部４の上面を押圧することにより主刃部２を菓子の躯体方向に押し込んで剪断するという技術的手段を採用することによって、チョコレート菓子の切断方法を完成させた。
【００１８】
また、本発明は、上記課題を解決するために、必要に応じて上記手段に加え、柄部４を手で挟持して、かつ、当該柄部４の終端41を掌の拇指球および小指球の間に当接せしめて保持した状態で、前記柄部４の上面を押圧することにより主刃部２を菓子の躯体方向に押し込んで剪断するという技術的手段を採用することもできる。
【発明の効果】
【００１９】
本発明は、ナイフ本体における刀身部を先端に亙りテーパ状に形成して、この刀身部の下縁には主刃部を形成し、略直線状の刃先にする一方、この主刃部のテーパ開始位置には微小な副刃部を柄部側に亙り連続的に形成したことによって、
前記副刃部により前記チョコレート菓子の上面において直線的な案内溝を形成可能にして、かつ、主刃部により当該案内溝から菓子の躯体を剪断することができる。
【００２０】
したがって、本発明のチョコレート菓子用ナイフは、人間工学に基づいて緻密に設計されているため、手に馴染みやすく操作性に優れており、一般のチョコレート菓子の愛好家であっても、技巧を必要とせずに一連の動作でスマートかつ繊細な切断作業を実現することができる。
【００２１】
また、必要に応じて、柄部の上面に、指載せガイドを形成することにより、この指載せガイドを押さえることにより、少ない力で局部的な押圧を確実に行うことができ、この際、更に、副刃部の刃先が円弧をなしており、その円弧における法線の延長線上に指載せガイドを形成することにより、副刃部に最も効率的に押圧力を伝達することができる。
【００２２】
そして、本発明のチョコレート菓子用ナイフを用いることによって、チョコレート菓子の上面に副刃部のみを当接させた状態で一方向に直線的に摺動して、当該上面に直線状の案内溝を形成するのに連動しながら、この案内溝の全長に亙り主刃部を当接せしめ、前記柄部の上面を押圧することにより主刃部を菓子の躯体方向に押し込んで剪断することができ、スマートな所作でチョコレート菓子の繊細な切断作業を行うことができ、かつ、形態を害することなく美しい切断面を得ることができることから、産業上の利用価値は頗る大きい。
【図面の簡単な説明】
【００２３】
【図１】本発明の実施形態のチョコレート菓子用ナイフを表わす側面図である。
【図２】本発明の実施形態のチョコレート菓子用ナイフの副刃部を表わす拡大側面図である。
【図３】本発明の実施形態のチョコレート菓子用ナイフの構造を表わす側面図である。
【図４】本発明の実施形態のチョコレート菓子用ナイフの変形例を表わす側面図である。
【図５】本発明の実施形態のチョコレート菓子用ナイフの使用状態を表わす斜視図である。
【図６】本発明の実施形態のチョコレート菓子の切断方法を表わす説明側面図である。
【図７】本発明の実施形態のチョコレート菓子の切断方法を表わす斜視図である。
【図８】本発明の実施形態のチョコレート菓子の切断方法を表わす説明側面図である。
【図９】本発明の実施形態のチョコレート菓子の切断方法を表わす斜視図である。
【図１０】本発明の実施形態のチョコレート菓子の切断方法を表わす説明側面図である。
【図１１】本発明の実施形態のチョコレート菓子の切断方法を表わす斜視図である。
【発明を実施するための形態】
【００２４】
本発明の実施形態を図１から図１１に基づいて説明する。本発明は、硬化したチョコレートが表面にコーティングされてなるチョコレート菓子Ｃを切断するための小型のナイフである。
【００２５】
本実施形態において切断の対象となるチョコレート菓子Ｃは、所謂「ボンボンショコラ」と呼ばれる一口サイズの小型のチョコレート菓子であって、表面が薄いチョコレートでコーティングされており、その大きさや形状は様々であり、中身の具材は、例えば、ガナッシュやプラリネ、マジパン、ジャンドゥジャなどがある。
【００２６】
そして、図１に示すように、ナイフ本体における刀身部１が先端に亙りテーパ状に形成されており、この刀身部１の下縁には主刃部２が形成され、略直線状の刃先である。
【００２７】
ナイフ本体を構成する材料としては。金属（鉄や鋼鉄、チタンなど）やセラミックス、プラスチックなどの硬質材料を採用することができる。なお、刀身部１の切っ先は、切断作業には不要であり、安全性を高めるために丸みを帯びているのが好ましい。
【００２８】
この際、必要に応じて、主刃部２を両刃状にすることによって、片面から研磨されてなる片刃状とは異なり、切断の際に、刃が真っ直ぐに入っていくことができる。また、略直線状の刃先にしたことにより、チョコレート菓子Ｃの上面ｔが平面状の場合に、上面にピッタリとフィットさせて均等圧に切り始めることができる。
【００２９】
そして、前記主刃部２のテーパ開始位置には微小な副刃部３が柄部４側に亙り連続的に形成されている（図２参照）。この副刃部３は、刃渡り３ｍｍ以内が好ましく、必要十分な機能を発揮して安全性も高い。本実施形態における主刃部２のテーパは、ナイフ本体の柄部４の上面から刀身部１の切っ先にかけて一直線状をなす一方、主刃部２の刃先直線部分と柄部４の下面とが鈍角をなすことで構成されている。この鈍角の範囲は、１１０°〜１４０°が使い勝手が良く好ましい。
【００３０】
本実施形態では、柄部４の上面に、指載せガイド５を形成することができる。この指載せガイド５は、主として使用者の人差し指の腹を適切な位置に載置できるように誘導するためのものである。
【００３１】
本実施形態では、副刃部３の刃先が円弧をなしており、その円弧における法線の延長線上に指載せガイド５を形成することができ（図３参照）、こうすることにより、人差し指で押さえた力が副刃部３にダイレクトに伝わるので、最も効率的に押圧力を伝達することができ、少ない力で局部的な押圧を確実に行うことができる。
【００３２】
なお、前記指載せガイド５の構成は、柄部４の上面または近傍側面における表面の色彩を異ならせるなどの二次元的な識別表示であっても良いし、図４に示すように、三次元的な凹凸51を形成するものであっても良い。
【００３３】
また、本実施形態では、ナイフ本体の刀身部１および柄部４が単一板体（一枚の単板あるいは、真ん中のコア材の両側を同一または他材料で挟み込んでなる複数層のクラッド材などの見かけ上が一枚ものの板体であって、好ましくは厚さ１〜３ｍｍ程度）で構成されており、この柄部４の終端41が掌の拇指球および小指球の間に当接して保持可能な全長（切っ先から終端まで１６ｃｍ前後が好ましい）にすることもできる（図５参照）。こうすることにより、手の中に安定的に保持することができて切断時の操作性が向上する。更に、単一板体で形成することにより、デザイン性が向上するとともに、ナイフをテーブルに載置した際に、テーブル面から刃が浮き上がらないために安全である。
【００３４】
＜切断方法について＞
次に、本発明の切断方法について説明する。使用するナイフの構成については前述のとおりである。
【００３５】
まず、図６および図７に示すように、前記チョコレート菓子Ｃの上面ｔに副刃部３のみを当接させた状態で一方向（通常は、使用者の手前方向）に直線的に摺動する。
【００３６】
次いで、図８および図９に示すように、チョコレート菓子Ｃの上面ｔに直線状の案内溝ｓを形成するのに連動しながら、この案内溝ｓの全長に亙り主刃部２を当接せしめる。即ち、副刃部３が上面ｔに直線状の案内溝ｓを形成し終わって、上面ｔの縁部に到達するときに、副刃部３（あるいは上面ｔの縁部）が支点になるようにして、刀身部１の切っ先を下げつつ柄部４の終端を上げることによって（図中の矢印方向）、主刃部２を上面ｔにスムースに当接させることができる。
【００３７】
然る後、図１０および図１１に示すように、前記柄部４の上面を押圧することにより主刃部２を菓子の躯体方向に押し込んで剪断することができる。本実施形態では、必要に応じて、主刃部２を両刃状にすることによって、片面から研磨されてなる片刃状とは異なり、切断の際に、刃が真っ直ぐに入っていくことができる。
【００３８】
このようにして、スマートな所作でチョコレート菓子の繊細な切断作業を行うことができ、かつ、鋭利な刃先で抵抗なく切断されることにより、チョコレート菓子の形態を害することなく美しい切断面を得ることができる。なお、チョコレート菓子Ｃの上面ｔに凹凸があったり、上面ｔの形状が曲面であっても、先に形成した案内溝ｓに沿って切断を開始するため、同様の美しい切断面を得ることができる。
【００３９】
本発明は、概ね上記のように構成されるが、図示の実施形態に限定されるものでは決してなく、「特許請求の範囲」の記載内において種々の変更が可能であって、例えば、ナイフ本体の柄部４には、別部材を固定することができるし、他の指の位置をガイドする凹凸等を設けることもできる。
【００４０】
また、ナイフ本体を収容するためのケースを附属することができ、これら何れのものも本発明の技術的範囲に属する。
【符号の説明】
【００４１】
１    刀身部
２    主刃部
３    副刃部
４    柄部
41    終端
５    指載せガイド
51    凹凸
Ｃ    チョコレート菓子
ｔ    上面
ｓ    案内溝
【図１】
2018068527.tif 000003
【図２】
2018068527.tif 000004
【図３】
2018068527.tif 000005
【図４】
2018068527.tif 000006
【図５】
2018068527.tif 000007
【図６】
2018068527.tif 000008
【図７】
2018068527.tif 000009
【図８】
2018068527.tif 000010
【図９】
2018068527.tif 000011
【図１０】
2018068527.tif 000012
【図１１】
2018068527.tif 000013